(57)【要約】【課題】凸部上に形成されるガスケットの厚みを均一化することのできるガスケットの製造方法を提供する。【解決手段】材料が通過する開口部５１１における短手方向の幅が、製造後のガスケットにおける短手方向の幅よりも狭い第１スクリーン版５００を用いて、凸部１１０上に、スクリーン印刷により第１薄膜層を形成する第１工程と、第１工程後に、材料が通過する開口部における短手方向の幅が、製造後のガスケットにおける短手方向の幅と同一となるように設計された第２スクリーン版を用いて、第１薄膜層よりも表面側に、スクリーン印刷により第２薄膜層を形成する第２工程と、を有することを特徴とする。【選択図】図５
2020138514.tif 000002
【特許請求の範囲】
【請求項１】
基材に形成された凸部上に、スクリーン印刷によって形成するゴム状弾性体製のガスケットの製造方法において、
材料が通過する開口部における短手方向の幅が、製造後のガスケットにおける短手方向の幅よりも狭い第１スクリーン版を用いて、前記凸部上に、スクリーン印刷により第１薄膜層を形成する第１工程と、
第１工程後に、材料が通過する開口部における短手方向の幅が、製造後のガスケットにおける短手方向の幅と同一となるように設計された第２スクリーン版を用いて、第１薄膜層よりも表面側に、スクリーン印刷により第２薄膜層を形成する第２工程と、
を有することを特徴とするガスケットの製造方法。
【請求項２】
第２薄膜層は、第１薄膜層の短手方向の両側にはみ出るように形成させることを特徴とする請求項１に記載のガスケットの製造方法。
【請求項３】
第２薄膜層は、第１薄膜層の表面と、前記凸部の表面のうち第１薄膜層における短手方向の両側の部分とに接触するように形成させることを特徴とする請求項２に記載のガスケットの製造方法。
【発明の詳細な説明】
【技術分野】
【０００１】
本発明は、スクリーン印刷を用いたガスケットの製造方法に関する。
【背景技術】
【０００２】
従来、燃料電池に備えられるセパレータなどの基材上に、スクリーン印刷によりガスケットを製造する方法が知られている。また、このような技術において、密封性を高めるために、基材に凸部（ビード）を形成して、この凸部上にスクリーン印刷によってガスケットを設ける技術が知られている（特許文献１，２参照）。
【０００３】
一般的に、スクリーン印刷においては、基材上に塗布された材料は、基材の引力及び材料の表面張力によって流動し、表面の凹凸がなだらかになるように変形する。しかしながら、粘性が高く、レベリング性が低い材料の場合には、流動し難いため、短手方向の中央の厚みが薄く、両端の厚みが厚くなる現象（サドル現象と呼ばれる）が生じることが知られている（特許文献３参照）。このようなサドル現象は、短手方向の幅が広いほど発生し易い。
【０００４】
図８は基材に形成された凸部上に設けたガスケットに、サドル現象が発生した様子を示している。なお、図８は、ガスケットが伸びる方向（長手方向）に対して垂直に、基材及びガスケットを切断した断面図である。図示のように、基材７００に形成された凸部７１０上に設けられたガスケット７５０は、短手方向の中央の厚みが薄く、両端の厚みが厚くなっている。このようなサドル現象が発生してしまうと、ガスケット７５０における短手方向の中央付近の厚みが薄いため、密封性が低下してしまうおそれがある。また、使用環境や求められる密封性能によっては、ガスケットの厚みを厚くしなければならず、スクリーン印刷を複数回繰り返すことで、ガスケットが多層構造となる場合がある。
【０００５】
図９は基材上に多層構造のガスケットが設けられる場合について示している。なお、図９においても、ガスケットが伸びる方向（長手方向）に対して垂直に、基材及びガスケットを切断した断面図を示している。図示のように、基材８００に形成された凸部８１０上に設けられたガスケット８５０は、凸部８１０上に設けられた第１薄膜層８５１と、第１薄膜層８５１上に設けられる第２薄膜層８５２とから構成される。このガスケット８５０においては、同一の形状寸法のスクリーン版を用いて、スクリーン印刷を２回繰り返すことによって、第１薄膜層８５１及び第２薄膜層８５２が設けられる。図示のように、第１薄膜層８５１にサドル現象が発生しており、第２薄膜層８５２においては、より一層、サドル現象が顕著になってしまう。図中のＧは規格の範囲を示しており、ガスケット８５０における短手方向の中央の寸法を規格Ｇの範囲に収めようとすると、短手方向の両端側が規格Ｇよりも厚みが厚くなってしまうため、密封性が不安定になってしまう。
【先行技術文献】
【特許文献】
【０００６】
【特許文献１】国際公開第２０１７／０７７９００号
【特許文献２】国際公開第２０１７／２１２７７５号
【特許文献３】特開２００６−３３５０４５号公報
【発明の概要】
【発明が解決しようとする課題】
【０００７】
本発明の目的は、凸部上に形成されるガスケットの厚みを均一化することのできるガスケットの製造方法を提供することにある。
【課題を解決するための手段】
【０００８】
本発明は、上記課題を解決するために以下の手段を採用した。
【０００９】
本発明のガスケットの製造方法は、
基材に形成された凸部上に、スクリーン印刷によって形成するゴム状弾性体製のガスケットの製造方法において、
材料が通過する開口部における短手方向の幅が、製造後のガスケットにおける短手方向の幅よりも狭い第１スクリーン版を用いて、前記凸部上に、スクリーン印刷により第１薄膜層を形成する第１工程と、
第１工程後に、材料が通過する開口部における短手方向の幅が、製造後のガスケットにおける短手方向の幅と同一となるように設計された第２スクリーン版を用いて、第１薄膜層よりも表面側に、スクリーン印刷により第２薄膜層を形成する第２工程と、
を有することを特徴とする。
【００１０】
本発明によれば、第１薄膜層は、材料が通過する開口部における短手方向の幅が、製造後のガスケットにおける短手方向の幅よりも狭い第１スクリーン版を用いて形成されるため、サドル現象の発生を抑制することができる。そして、第２薄膜層は、材料が通過する開口部における短手方向の幅が、製造後のガスケットにおける短手方向の幅と同一となるように設計された第２スクリーン版を用いて形成される。しかしながら、第２薄膜層は、第１薄膜層よりも表面側に形成されるため、第２薄膜層の短手方向の端部においては、スクリーン印刷の際に、第２薄膜層の材料の一部が、第１薄膜層における短手方向の端部の外側に流れ出る。これにより、第２薄膜層においては、短手方向の端部の厚みが、中央の厚みよりも厚くなってしまうことを抑制することができる。
【００１１】
第２薄膜層は、第１薄膜層の短手方向の両側にはみ出るように形成させるとよい。
【００１２】
これにより、第２薄膜層における短手方向の両端部について、短手方向の中央よりも厚みが厚くなってしまうことを抑制することができる。
【００１３】
第２薄膜層は、第１薄膜層の表面と、前記凸部の表面のうち第１薄膜層における短手方向の両側の部分とに接触するように形成させるとよい。
【発明の効果】
【００１４】
以上説明したように、本発明によれば、凸部上に形成されるガスケットの厚みを均一化することができる。
【図面の簡単な説明】
【００１５】
【図１】図１は本発明の実施例に係る密封構造の模式的断面図である。
【図２】図２は本発明の実施例に係るガスケットの平面図である。
【図３】図３は本発明の実施例に係るガスケットの模式的断面図である。
【図４】図４は本発明のガスケットの製造方法に用いられる第１スクリーン版の平面図である。
【図５】図５はスクリーン印刷方法を説明する説明図である。
【図６】図６は本発明のガスケットの製造方法に用いられる第２スクリーン版の平面図である。
【図７】図７は本発明の変形例に係るガスケットの模式的断面図である。
【図８】図８は従来例に係るガスケットの模式的断面図である。
【図９】図９は従来例に係るガスケットの模式的断面図である。
【発明を実施するための形態】
【００１６】
以下に図面を参照して、この発明を実施するための形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。
【００１７】
（実施例）
図１〜図６を参照して、本発明の実施例に係るガスケットの製造方法について説明する。なお、本実施例においては、燃料電池におけるセパレータにガスケットを設ける場合について説明する。
【００１８】
＜密封構造＞
図１を参照して、本実施例に係る密封構造について説明する。図１は本発明の実施例に係る密封構造の模式的断面図であり、より具体的には、燃料電池の模式的断面図である。一般的に、燃料電池は、複数の単セルからなるセルスタックとして構成される。図１においては、単セル１０の模式的断面図を示している。単セル１０は、一対の基材としてのセパレータ１００と、これら一対のセパレータ１００の間に設けられるＭＥＡ（Ｍｅｍｂｒａｎｅ  Ｅｌｅｃｔｒｏｄｅ  Ａｓｓｅｍｂｌｙ）とを備えている。ＭＥＡは、電解質膜２００と、電解質膜２００の両面に備えられる一対のガス拡散層３００とを備えている。また、セパレータ１００は、金属などにより構成される板状の部材により構成される。このセパレータ１００には、燃料ガスや酸化剤ガスなどが流れる流路１２０が形成されている。
【００１９】
そして、単セル１０には、その外部に燃料ガスや酸化剤ガスなどが漏れるのを防ぐために、ゴム状弾性体製のガスケット１５０が設けられている。ガスケット１５０の材料としては、ＶＭＱ，ＥＰＤＭ，ＦＫＭなどを好適な例として挙げることができる。そして、ガスケット１５０は、セパレータ１００に形成された凸部（ビード）１１０上に設けられている。このガスケット１５０によって、セパレータ１００と電解質膜２００との間の隙間が封止される。
【００２０】
＜ガスケット＞
特に、図２及び図３を参照して、ガスケット１５０について、より詳細に説明する。図２は本発明の実施例に係るセパレータ１００に設けられたガスケット１５０の平面図である。なお、図２においては、セパレータ１００に設けられる流路１２０については省略して示している。図３は本発明の実施例に係るセパレータ１００に設けられたガスケット１５０の模式的断面図であり、図２中のＡＡ断面図に相当する。すなわち、図３においては、セパレータ１００における凸部１１０及びガスケット１５０が伸びる方向（長手方向）に対して垂直に、セパレータ１００及びガスケット１５０を切断した断面図の一部を示している。つまり、図３中のガスケット１５０は、その短手方向にガスケット１５０が切断された断面図である。
【００２１】
ガスケット１５０は、セパレータ１００の外縁の内側に、当該外縁に沿って形成された凸部１１０上に設けられている。なお、ガスケット１５０は、凸部１１０の表面全体を覆うように設けられている。そして、本実施例に係るガスケット１５０は、凸部１１０の表面に接するように設けられる第１薄膜層１５１と、第１薄膜層１５１よりも表面側に設けられる第２薄膜層１５２とから構成される。第１薄膜層１５１は、凸部１１０が伸びる方向（長手方向）に沿って、凸部１１０の中央付近に設けられている。この第１薄膜層１５１の短手方向の幅は、凸部１１０の短手方向の幅よりも狭い。そして、第２薄膜層１５２は、第１薄膜層１５１の短手方向の両側にはみ出るように設けられている。より具体的には、第２薄膜層１５２は、第１薄膜層１５１の表面と、凸部１１０の表面のうち第１薄膜
層１５１における短手方向の両側の部分とに接触するように設けられる（図３参照）。なお、本実施例に係るガスケット１５０は、短手方向の幅Ｓが全周に亘って一定となるように設けられている。
【００２２】
＜ガスケットの製造方法＞
特に、図４〜図６を参照して、本実施例に係るガスケット１５０の製造方法について説明する。図４及び図６は本発明のガスケットの製造方法に用いられるスクリーン版の平面図である。図５はスクリーン印刷方法を説明する説明図である。なお、図５中のスクリーン版５００は、図４中のＢＢ断面図に相当する。
【００２３】
本実施例に係るガスケット１５０は、セパレータ１００に形成された凸部１１０上に、スクリーン印刷によって形成される。また、本実施例においては、２回のスクリーン印刷を行うことによって、ガスケット１５０が形成される。以下、１回目のスクリーン印刷による印刷工程を第１工程と称し、２回目のスクリーン印刷による印刷工程を第２工程と称する。
【００２４】
＜＜第１工程＞＞
第１工程においては、図４及び図５に示す第１スクリーン版５００を用いて、スクリーン印刷がなされる。第１スクリーン版５００は、マスク５１０と、マスク５１０の片面に設けられるメッシュ状のスクリーン５２０とから構成される。マスク５１０には、ガスケット１５０の材料（ゴム材料）が通過する開口部５１１が設けられている。この開口部５１１における短手方向の幅Ｔは、製造後のガスケット１５０における短手方向の幅Ｓよりも狭く設定されている。このように構成される第１スクリーン版５００を用いて、セパレータ１００の凸部１１０上に、スクリーン印刷により第１薄膜層１５１が形成される。
【００２５】
スクリーン印刷について、図５を参照して説明する。まず、マスク５１０がセパレータ１００側を向くように、第１スクリーン版５００がセパレータ１００上に被せられる。第１スクリーン版５００の表面側（スクリーン５２０の表面側）には、ガスケット１５０の材料１５０Ｘが供給される。そして、スキージ５５０が、セパレータ１００側に押圧されながら、スクリーン５２０の表面を摺動するように移動する（図中、矢印Ｍ方向に移動する）。これにより、スキージ５５０が開口部５１１上を通過する際に、材料１５０Ｘの一部が開口部５１１を通過して、セパレータ１００の凸部１１０上に押し出される。このようにして押し出された材料１５１Ｘが、その後、架橋により硬化することによって、第１薄膜層１５１が形成される。
【００２６】
＜＜第２工程＞＞
第２工程においては、図６に示す第２スクリーン版６００を用いて、スクリーン印刷がなされる。第２スクリーン版６００においても、マスク６１０と、マスク６１０の片面に設けられるメッシュ状のスクリーン６２０とから構成される。そして、マスク６１０には、ガスケット１５０の材料（ゴム材料）が通過する開口部６１１が設けられている。この開口部６１１における短手方向の幅Ｓは、製造後のガスケット１５０における短手方向の幅Ｓと同一となるように設計されている。このように構成される第２スクリーン版６００を用いて、第１薄膜層１５１よりも表面側に、スクリーン印刷により第２薄膜層１５２が形成される。
【００２７】
スクリーン印刷方法については、第１工程において説明した通りである。なお、第２スクリーン版６００をセパレータ１００上に被せた際には、第２スクリーン版６００の開口部６１１の中心線（短手方向の中心を繋ぐ線）と、第１薄膜層１５１の中心線（短手方向の中心を繋ぐ線）とが一致するように開口部６１１は設計されている。
【００２８】
以上のように構成される第２スクリーン版６００を用いてスクリーン印刷を行うことによって、第２薄膜層１５２が形成され、上述したガスケット１５０が製造される。
【００２９】
＜本実施例に係るガスケットの製造方法の優れた点＞
本実施例に係る製造方法によれば、第１薄膜層１５１は、材料が通過する開口部５１１における短手方向の幅Ｔが、製造後のガスケット１５０における短手方向の幅Ｓよりも狭い第１スクリーン版５００を用いて形成される。そのため、サドル現象の発生を抑制することができる。すなわち、背景技術の中で説明したように、粘性が高く、レベリング性が低い材料（ゴム材料）の場合には、スクリーン印刷により塗布された材料にはサドル現象が発生し易い。しかしながら、短手方向の幅が狭いと、サドル現象の発生を抑制することができる。従って、ガスケット１５０の材料１５０Ｘの特性に応じて、開口部５１１における短手方向の幅Ｔをサドル現象が発生しない程度に設定しておくことで、第１薄膜層１５１にサドル現象が発生してしまうことを抑制することができる。
【００３０】
そして、第２薄膜層１５２は、材料が通過する開口部６１１における短手方向の幅Ｓが、製造後のガスケット１５０における短手方向の幅Ｓと同一となるように設計された第２スクリーン版６００を用いて形成される。しかしながら、第２薄膜層１５２は、第１薄膜層１５１よりも表面側に形成されるため、第２薄膜層１５２の短手方向の端部においては、スクリーン印刷の際に、第２薄膜層１５２の材料の一部が、第１薄膜層１５１における短手方向の端部の外側に流れ出る。これにより、第２薄膜層１５２においては、短手方向の端部の厚みが、中央の厚みよりも厚くなってしまうことを抑制することができる。従って、凸部１１０上に形成されるガスケット１５０の厚みをより確実に均一化することができる。なお、本実施例においては、第２薄膜層１５２は、第１薄膜層１５１の短手方向の両側にはみ出るように形成されるので、第２薄膜層１５２における短手方向の両端部について、短手方向の中央よりも厚みが厚くなってしまうことを抑制することができる。
【００３１】
以上のように、本実施例に係る製造方法によれば、粘性が高く、レベリング性が低い材料を用いた場合でも、凸部１１０上に形成されるガスケット１５０の厚みを均一化することができる。
【００３２】
ここで、上記の幅Ｔが１．０ｍｍの第１スクリーン版５００を用いてスクリーン印刷を行って第１薄膜層１５１を形成し、その後、上記の幅Ｓが１．８ｍｍの第２スクリーン版６００を用いてスクリーン印刷を行って第２薄膜層１５２を形成した。このようにして、短手方向の幅Ｓが１．８ｍｍ、厚み（高さ）が２０μｍ以上１００μｍ以下のガスケット１５０を製造したところ、ガスケット１５０の厚みを均一にすることができた。また、この製造方法により得られたガスケット１５０においては、短手方向の幅の中央付近の厚みを規格内に良好に収めることができ、短手方向の両端付近は、中央付近の厚みよりも薄く、安定した密封性が得られることが確認できた。
【００３３】
これに対して、開口部における短手方向の幅が１．４ｍｍのスクリーン版を用いて、２回のスクリーン印刷を行った。その結果、１回目のスクリーン印刷により得られた薄膜層でサドル現象が発生し、２回目のスクリーン印刷により得られた薄膜層では、より一層サドル現象が顕著になった。その結果、この製造方法により得られたガスケットは、短手方向の幅の中央付近の厚みを規格内に収めることができたものの、短手方向の両端付近は、中央付近の厚みよりも厚く、規格内に収めることができなかった。
【００３４】
（その他）
上記実施例においては、セパレータ１００に形成される凸部１１０は、その上面が平面により構成される場合を示した。しかしながら、本発明においては、このような凸部１１０に限定されることはなく、異なる形状の凸部に対して形成されるガスケットについても
適用可能である。例えば、図７には、本発明の変形例に係るガスケットの模式的断面図を示している。図７に示すように、セパレータ１００Ｙに形成される凸部１１０Ｙの上面が、中央が平面で構成され、その両端側が傾斜面で構成される場合であっても、この凸部１１０Ｙの上面に形成されるガスケット１５０Ｙに対して、本発明の製造方法を適用することができる。この場合においても、短手方向の幅が狭い第１薄膜層１５１Ｙと、短手方向の幅が凸部１１０Ｙの短手方向の幅と等しい第２薄膜層１５２Ｙとから構成されるガスケット１５０Ｙが製造される。
【００３５】
また、上記実施例においては、２回のスクリーン印刷によって、２層構造のガスケット１５０を製造する場合について説明した。しかしながら、本発明においては、３回以上のスクリーン印刷によって、３層以上の構造により構成されるガスケットを製造する場合にも適用可能である。すなわち、上述した第１工程と第２工程の間に、１以上のスクリーン印刷工程を追加することで、３層以上の構造により構成されるガスケットを製造する場合も本発明に含まれる。この場合、第１工程と第２工程の間にスクリーン印刷を行う際のスクリーン版は、第１工程の際に用いた第１スクリーン版５００を採用することができる。また、第１工程と第２工程の間にスクリーン印刷を行う際のスクリーン版については、ガスケットの材料が通過する開口部の短手方向の幅が、徐々に広くなるように、順次スクリーン版を交換することも好適である。
【００３６】
更に、上記実施例においては、燃料電池のセパレータにガスケットを設ける場合を例にして説明した。しかしながら、本発明に係るガスケットは、そのような用途に限定されることはない。例えば、金属ガスケットにおける凸部（ビード）上にゴム状弾性体製のガスケットを設ける場合にも適用可能である。
【符号の説明】
【００３７】
１０  単セル
１００，１００Ｙ  セパレータ
１１０，１１０Ｙ  凸部
１２０  流路
１５０，１５０Ｙ  ガスケット
１５０Ｘ、１５１Ｘ  材料
１５１，１５１Ｙ  第１薄膜層
１５２，１５２Ｙ  第２薄膜層
２００  電解質膜
３００  ガス拡散層
５００  第１スクリーン版
５１０  マスク
５１１  開口部
５２０  スクリーン
５５０  スキージ
６００  第２スクリーン版
６１０  マスク
６１１  開口部
６２０  スクリーン
【図１】
2020138514.tif 000003
【図２】
2020138514.tif 000004
【図３】
2020138514.tif 000005
【図４】
2020138514.tif 000006
【図５】
2020138514.tif 000007
【図６】
2020138514.tif 000008
【図７】
2020138514.tif 000009
【図８】
2020138514.tif 000010
【図９】
2020138514.tif 000011